(57)【要約】      （修正有）【課題】ネイル処理した足指を遮蔽することがなく、しかも素足で履くという感じのファッション性を付与できて滑り止め効果も有する足裏サポータを提供する。【解決手段】着用者２の足裏形状に対応し且つ爪先部から土踏まずに達する長さのサポータ本体３と、該サポータ本体の前方に縫着する足指用リング５と、該サポータ本体の後方に縫着する踵掛けリング８とを備え、該サポータ本体は比較的肉厚の繊維素材であって、その裏面に粘着性を備える樹脂滑り止め部１６を形成し、足指用リング５を着用者２の足指に嵌めてから踵掛けリング８を着用者の踵部ｃ上部に掛止すると、着用者２の足裏に容易に取り付けできる。【選択図】図３
0003224932.tif 000002
【実用新案登録請求の範囲】
【請求項１】
着用者の足裏形状に対応し且つ爪先部から土踏まずに達する長さのサポータ本体と、該サポータ本体の前方に縫着する足指用リングと、該サポータ本体の後方に縫着する踵掛けリングとを備え、該サポータ本体は比較的肉厚の繊維素材であって、その裏面に粘着性を備える樹脂滑り止め部を形成し、足指用リングを着用者の足指に嵌めてから踵掛けリングを着用者の踵部上部に掛止すると、着用者の足裏に取り付けできる足裏サポータ。
【請求項２】
足指用リングはゴム紐製の第１指用リングおよび第５指用リングを有し、第１指用リングを着用者の足親指に嵌めおよび第５指用リングを着用者の足小指に嵌めてからゴム紐製の踵掛けリングを着用者の踵部上部に掛止すると、着用者の足裏に安定取り付けできる請求項１記載の足裏サポータ。
【請求項３】
サポータ本体は、上方繊維層のベア天竺地と、厚さ２〜５ｍｍのポリウレタンシートのクッション材と、下方繊維層の編地との３層構造であり、その周囲を縁縫いによって縫い合わせることで足指用リングおよび踵掛けリングと一体化させる請求項１記載の足裏サポータ。
【請求項４】
サポータ本体における下方繊維層の表面上方には、粘着性を備える樹脂滑り止め部を所定の範囲に形成し、該樹脂滑り止め部はいずれもシリコーン樹脂からなる請求項１または３記載の足裏サポータ。
【考案の詳細な説明】
【技術分野】
【０００１】
本考案は、オープントゥのサンダルやミュールサンダルを履いた際に、ネイル処理した足指を遮蔽することがなく、しかも素足で履くという感じのファッション性を付与できて滑り止め効果も有する足裏サポータに関する。
【背景技術】
【０００２】
通常のフットカバーは全体が薄い編地からなり、主に爪先部と踵部を覆う靴下の一種である。フットカバーは、現在、女性や若者において、ファッションとしてパンプスやスニーカーを素足で履くことが好まれるために頻繁に使用される。フットカバーを着用すると、足裏部、爪先部、両側面部および踵部だけを覆い、ソックスとは異なって足甲部の大半および足首部は露出することにより、着用時にパンプスやスニーカーを履くとフットカバーの一部が外部から見えず、外観的には素足にパンプスやスニーカーを直接履いているように見え、若い人のファッションに適している。
【０００３】
通常のフットカバーは、履き口の上方開口部が大きくカットされているため、着用者の歩行時に足から脱離したり、該カバーの履き位置がズレることが多い。このため、カバー踵当接部の内面に滑り止め材を取り付けることが多く、該滑り止め材は、ゴム、発泡ウレタンやシリコーンゴムなどのシートである。また、特開２００５−６６１５２号および実用新案登録第３１７２７２６号では、前記の滑り止め材の代わりに、ともに着用者の踵部上部に平ゴムや細いストッパを掛けて脱落を防止している。
【０００４】
一方、若い女性の一部では、ネイルファッションとして足指にネイル処理を施して足指の美しさを強調している。このアートネイルは通常のソックスやフットカバーを履くと隠れてしまう。通常のフットカバーは、主に足裏部、爪先部、両側面部および踵部だけを覆い、足甲部の大半および足首部は露出させても着用者の足指はフットカバーの足甲部で隠れてしまい、アートネイルの存在を誇示することができない。このため、特開２０１１−１８４８１１号および実用新案登録第３１７１０７３号では、足指が露出するストッキングを提案している。
【先行技術文献】
【特許文献】
【０００５】
【特許文献１】特開２００５−６６１５２号公報
【特許文献２】実用新案登録第３１７２７２６号公報
【特許文献３】特開２０１１−１８４８１１号公報
【特許文献４】実用新案登録第３１７１０７３号公報
【考案の概要】
【考案が解決しようとする課題】
【０００６】
特開２００５−６６１５２号および実用新案登録第３１７２７２６号は、通常のフットカバーと同様に、足先用保温具および足甲袋部が着用者の爪先を覆ってしまい、着用時に足指のアートネイルを隠してしまううえに、オープントゥのサンダルやミュールサンダルを履いた際には、素足で履くという感じのファッション性を付与できない。また、脱落防止部材として平ゴムまたは足裏袋部と一体のストッパ部を用いており、この平ゴムやストッパ部は着用者の踵部までかなりの長さを要するので、カバー爪先部分が歩行時に脱離を起こしやすい。
【０００７】
特開２０１１−１８４８１１号および実用新案登録第３１７１０７３号は、足指が露出する特殊ストッキングであるから、着用者の足指がストッキング装着時に隠れることがなく、靴を履いた際にもアートネイルの存在を誇示することは可能であっても、このストッキングは爪先部を除いて通常の長靴下に相当する。このため、オープントゥのサンダルやミュールサンダルを履いた際には、前記のフットカバーなどと同様に、素足で履くという感じのファッション性を付与できない。
【０００８】
本考案は、既存のフットカバーや特殊ストッキングに関する前記の問題点を改善するために提案されたものであり、着用時にネイル処理した足指を遮蔽することがなく、しかもオープントゥのサンダルやミュールサンダルを履いた際に素足で履くという感じのファッション性を付与できる足裏サポータを提供することを目的としている。本考案の他の目的は、オープントゥのサンダルやミュールサンダルを履いた際に着用者の足と靴裏とが直接接触することによる不快感を軽減し、サンダルに対する滑り止め機能も有するので歩行が安全になる足裏サポータを提供することである。
【課題を解決するための手段】
【０００９】
本考案に係る足裏サポータは、着用者の足裏形状に対応し且つ爪先部から土踏まずに達する長さのサポータ本体と、該サポータ本体の前方に縫着する足指用リングと、該サポータ本体の後方に縫着する踵掛けリングとを備える。このサポータ本体は比較的肉厚の繊維素材であって、その裏面に粘着性を備える樹脂滑り止め部を形成し、足指用リングを着用者の足指に嵌めてから踵掛けリングを着用者の踵部上部に掛止すると、着用者の足裏に取り付けできる。
【００１０】
本考案に係る足裏サポータにおいて、足指用リングはゴム紐製の第１指用リングおよび第５指用リングを有すると好ましく、第１指用リングを着用者の足親指に嵌めおよび第５指用リングを着用者の足小指に嵌めてからゴム紐製の踵掛けリングを着用者の踵部上部に掛止すると、着用者の足裏に安定取り付けできる。このサポータ本体は、上方繊維層のベア天竺地と、厚さ２〜５ｍｍのポリウレタンシートのクッション材と、下方繊維層の編地との３層構造であり、その周囲を縁縫いによって縫い合わせることで足指用リングおよび踵掛けリングと一体化させる。サポータ本体における下方繊維層の表面上方には、粘着性を備える樹脂滑り止め部を所定の範囲に形成し、該樹脂滑り止め部はいずれもシリコーン樹脂からなると好ましい。
【考案の効果】
【００１１】
本考案に係る足裏サポータは、主たる構造が平坦なサポーター本体だけであるから、ネイル処理した足指を着用時に遮蔽することがなく、オープントゥのサンダルやミュールサンダルを履いた際にも素足で履くという感じのファッション性を付与できる。本考案の足裏サポータは、足指用リングおよび踵掛けリングによって着用者の足裏に取り付けるので、該サポータが足から脱離することがなく、且つサポーター裏面の樹脂滑り止め部によってサンダルに対する滑り止め効果を有し、サンダルを履いた際に歩行時に履き位置ズレが起こらず、長時間安全に歩行でき且つ履き心地も低下しない。
【００１２】
本考案に係る足裏サポータは、オープントゥのサンダルやミュールサンダルだけでなく、パンプスやスニーカーなどであっても素足で履くという感じを付与できる。本考案の足裏サポータは、サンダルを履いた際に着用者の足と靴裏とが直接接触することによる不快感を軽減する。本考案の足裏サポータにおいて、サポータ本体が上下の繊維層間にクッション材を介在させた３層構造であると、該クッション材は保温と耐衝撃を兼ねた厚みを有し、該足裏サポータを装着して歩行する時に、足裏への衝撃を適度に緩和するので履き心地がいっそう良好になる。
【図面の簡単な説明】
【００１３】
【図１】本考案に係る足裏サポータを示す全体平面図である。
【図２】図１の足裏サポータのサポータ本体の裏面を示す平面図である。
【図３】図１の足裏サポータを足に装着した状態を示す概略側面図である。
【図４】サポータ本体を拡大して示す横断面図である。
【図５】足裏サポータを装着した後にミュールサンダルに履いた状態を例示する概略側面図である。
【考案を実施するための形態】
【００１４】
本考案に係る足裏サポータ１は、図１に示すように、着用者２の足裏形状に対応する平面形状のサポータ本体３と、該サポータ本体の前方に縫着する足指用リング５，７と、該サポータ本体の後方に縫着する踵掛けリング８とを備える。サポータ本体３は、図２に示すように、足裏形状に対応する細長い楕円形状に近い平面形状であり、その縦長さは着用者の足指付け根から土踏まずの中程に達し、所望に応じて着用者２の土踏まず全体を覆う長さでもよい。着用者２が足裏サポータ１を装着する際には、着用者２の足指を足指用リング５，７に嵌め、ついで踵掛けリング８を着用者２の踵部上部のアキレス腱付近に掛止させると、該サポータを着用者２の足裏に取り付けできる。
【００１５】
足裏サポータ１の足指用リング５，７および踵掛けリング８は、図１から図３に例示するような長さの帯状ゴム紐であっても、またはポリウレタン製の伸縮テープや帯ゴム体でよい。好ましくは、リング５，７，８は目立たない太さと肌色に近い色に着色され、さらにサポータ本体３も同様に着色されると好ましい。この足指用リングは、通常、第１指用リング５および第５指用リング７からなるけれども、足指３〜５本に嵌めるようにリング数を増やしてもよく、第１指から第３指または第２指から第４指に嵌まるような長さのリング１本または２本を用いてもよい。
【００１６】
足指用リング５，７はサポータ本体３の前方に縫着し、踵掛けリング８はサポータ本体３の後方に縫着する。例えば、足指用リング５は、着用者の足親指に対応する間隔を空けた両端部５ａ，５ｂをサポータ本体３の前方左側に縫い付け、且つ足指用リング７は着用者の足小指に対応する間隔を空けた両端部７ａ，７ｂをサポータ本体３の前方右側に縫い付ければよい。踵掛けリング８は、少し伸ばすと着用者の踵上部に掛かるように間隔を空けた両端部８ａ，８ｂをサポータ本体３の後方左右両側に縫い付ければよい。
【００１７】
サポータ本体３は厚さ約２ｍｍ以上の比較的肉厚の繊維素材であり、図４に示すように上下の繊維層１０，１２間に耐衝撃と保温を兼ねるクッション材１４を介在させた３層構造体であると好ましい。繊維層１０，１２には任意の織編地を使用すればよく、例えば、上方繊維層１０のベア天竺地と、厚さ２〜５ｍｍのポリウレタンシートのクッション材１４と、下方繊維層１２の編地とからなる。このポリウレタンシートは、厚さ２ｍｍ未満であると耐衝撃および保温の効果が小さくなり、厚さが５ｍｍを越えると使用の際に目立ちすぎる。
【００１８】
足裏サポータ１において、繊維層１０，１２として編地を用いてもよい。この編地は、綿糸、ポリエステル繊維、アセテート繊維、ナイロン繊維、アクリル繊維、ポリウレタン繊維、綿糸とポリエステル繊維との混紡繊維などの単数または複数の繊維糸からなり、全体が薄い一体編地であると伸縮性を有し、細いポリエステル繊維やナイロンでポリウレタン糸の芯糸をカバーリングした被覆弾性糸も使用可能である。
【００１９】
サポータ本体３において、図２に示すようにその裏面に粘着性を備える樹脂滑り止め部１６を所定の範囲に形成し、例えば、下方繊維層１２の表面上方に樹脂滑り止め部１６を所定の範囲に分散形成する。樹脂滑り止め部１６は、図示のような複数個の点状集合スポットを適当に分散配置しても、細長い矩形または線状スポットを間欠的に配列してもよい。樹脂滑り止め部１６は、足裏サポータ１を装着した着用者２がサンダル１７（図５）などを履いて歩行する際に、該サポータがサンダル表面で滑らなくなるので好ましい。
【００２０】
樹脂滑り止め部１６は、シリコーン樹脂または他の粘着性樹脂からなり、ロータリーまたは扇型スクリーン印刷機に送り込んで厚盛り印刷し、またはシルクスクリーン機による厚盛り印刷、凸版や凹版印刷機による印刷、テープ状素材の熱融着などによって形成すればよい。樹脂滑り止め部１６において平面が鋭角な個所がないと、その個所から剥がれることが少なくなるので好ましい。
【００２１】
足裏サポータ１において、サポータ本体３が単体の繊維素材でなくて図４のような３層構造体である場合、上方繊維層１０，クッション材１４、下方繊維層１２を重ねて全周を仮縫いしておくと好ましい。次に、足指用リング５，７および踵掛けリング８をサポータ本体３に縫い付け、これらのリングの端とサポータ本体３の周囲とを縁縫い１８（図４）によって縫い込む。この縁縫い１８は、伸縮性を有する糸１〜４本を用いる二重環縫いや縁かがり縫いなどである。サポータ本体３は、伸縮性糸による縁縫い１８によって周囲のほつれが防止される。
【００２２】
足裏サポータ１は、図３に示すように、装着時において着用者２の足指を足指用リング５，７に嵌め、踵掛けリング８を着用者２の踵部ｃ上部のアキレス腱付近に掛止させればよい。足裏サポータ１は平坦な構造であるから、図５に示すように該サポータを装着してサンダル１７を履くと、着用者２の爪先部ａ、両側面部ｂ，ｂおよび踵部ｃが完全に露出した状態になり、さらに足首部ｄまで完全に露出する。足裏サポータ１は、着用者の爪先部ａを隠すことがなく、ネイル処理した足指をサポータを装着したままで見ることができ、オープントゥのサンダルやミュールサンダルを履いた際に素足で履くという感じのファッション性を付与できる。
【００２３】
足裏サポータ１は、着用時に足首部ｄを露出させるから、パンプスやスニーカーなどの靴を履いても素足感覚を維持できる。足裏サポータ１は、図３に示すように足指用リング５，７および踵掛けリング８を介して保持されるから、着用者２の歩行時に外れたり、履き位置ズレは起こらない。足裏サポータ１において、サポータ本体３が上下の繊維層１０，１２間にクッション材を介在させた３層構造体であると、該クッション材は厚さ２〜５ｍｍで耐衝撃および保温を兼ねる。
【００２４】
さらに、足裏サポータ１では、サポータ本体３の下方繊維層１２の表面上方に樹脂滑り止め部１６を所定の範囲に形成することにより、足裏サポータ１を装着した際に、着用者２が床面を歩行時に床面と接した際に滑ることがない。特に、足裏サポータ１を装着してオープントゥのサンダルやミュールサンダルを履いた際に、図５のようにサンダル１７の踵が高くても快適で安全な履き心地を維持できる。
【実施例１】
【００２５】
次に、本考案を実施例に基づいて説明するが、本考案は実施例によって限定されるものではない。足裏サポータ１は、図１に示すように、着用者２の足裏形状に対応する平面形状のサポータ本体３と、着用者の足親指を嵌める足指用リング５および足小指を嵌める足指用リング７と、該サポータ本体の後方に縫着する踵掛けリング８とを備える。サポータ本体３は、図２に示すように、足裏形状に対応する細長い楕円形状に近い平面形状であり、その縦長さは着用者の足指付け根から土踏まずの中程に達する。
【００２６】
足指用リング５，７および踵掛けリング８は、図３に示すような細くて肌色の帯状ゴム紐である。足指用リング５は、着用者の足親指に無理なく嵌合できるように間隔を空けた両端部５ａ，５ｂをサポータ本体３の前方左側に縫い付け、且つ足指用リング７は着用者の足小指に無理なく嵌合するように間隔を空けた両端部７ａ，７ｂをサポータ本体３の前方右側に縫い付ける。踵掛けリング８は、少し伸ばすと着用者の踵部ｃ上部に強い抵抗なく掛かるように間隔を空けた両端部８ａ，８ｂをサポータ本体３の後方左右両側に縫い付ける。
【００２７】
サポータ本体３は、上方繊維層１０のベア天竺地と、厚さ５ｍｍのポリウレタンシートのクッション材１４と、下方繊維層１２の編地との３層構造体である。ベア天竺地は肌触りが良いので、サポータ本体３の上方繊維層１０として好適である。サポータ本体３の下方繊維層１２は、あらかじめロータリーまたは扇型スクリーン印刷機に送り込み、下方繊維層１２の表面上方にシリコーン樹脂によって樹脂滑り止め部１６を厚盛り印刷する。樹脂滑り止め部１６は、図２と図３に示すように、厚さ約２００μｍで点状集合スポット状に適当に分散配置されている。樹脂滑り止め部１６により、足裏サポータ１を装着した着用者２がサンダル１７を履いて歩行する際に、該サポータがサンダル表面で滑らずに履き心地が良い。
【００２８】
足裏サポータ１を得るには、サポータ本体３として上方繊維層１０，クッション材１４、下方繊維層１２を重ねて全周を仮縫いしてから、足指用リング５，７および踵掛けリング８の両端をサポータ本体３に縫い付ける。リング５，７，８の各両端とサポータ本体３の周囲とは、縁かがり縫いなどの縁縫い１８（図４）によって縫い込む。
【００２９】
足裏サポータ１は、図３の装着時において、着用者２の足指を足指用リング５，７に嵌め、踵掛けリング８を着用者２の踵部ｃ上部のアキレス腱付近に掛止させる。足裏サポータ１は平坦な構造であるから、図５に示すように該サポータを装着してサンダル１７を履くと、着用者２の体重でその大部分が足で隠れ、着用者２の爪先部ａ、両側面部ｂ，ｂおよび踵部ｃが完全に露出した状態になる。サポータ本体３は、伸縮性を有する糸による縁縫い１８によってほつれが防止される。
【００３０】
足裏サポータ１は、装着時に着用者２の爪先部ａを隠すことがなく、ネイル処理した足指をサポータを装着したままで見ることができ、オープントゥのサンダルやミュールサンダル１７を履いた際に素足で履くという感じになる。特に、透明な甲被ストラップ２０を用いた図５に示すようなミュールサンダル１７であると、このサンダルを素足で履いている感じをいっそう明確に誇示できる。
【００３１】
足裏サポータ１は、サポータ本体３は上方のベア天竺地と下方の編地との間に厚さ３ｍｍのクッション材を介在させた３層構造体である。足裏サポータ１を着用者２に装着すると、歩行時に衝撃を適度に緩和するので履き心地が良好である。着用者２が足裏サポータ１を装着すると、足裏が柔軟なベア天竺地と接触するので履き心地が良い。
【００３２】
足裏サポータ１において、サポータ本体３の下方繊維層１２の表面上方に樹脂滑り止め部１６を所定の範囲に形成することにより、足裏サポータ１を装着した際に、着用者２が床面を歩行時に床面と接した際に滑ることがない。特に、足裏サポータ１を装着してオープントゥのサンダルやミュールサンダルを履いた際に、図５のようにサンダル１７の踵が高くても、着用者の足および足裏サポータ１が前方へズレることがなく、快適で安全な履き心地を維持できる。
【符号の説明】
【００３３】
１  足裏サポータ  
２  着用者
３  サポータ本体  
５，７  足指用リング
８  踵掛けリング
１０  上方繊維層
１２  下方繊維層
１４  クッション材
１６  樹脂滑り止め部
【図１】
0003224932.tif 000003
【図２】
0003224932.tif 000004
【図３】
0003224932.tif 000005
【図４】
0003224932.tif 000006
【図５】
0003224932.tif 000007
【手続補正書】
【提出日】令和1年11月13日(2019.11.13)
【手続補正１】
【補正対象書類名】実用新案登録請求の範囲
【補正対象項目名】全文
【補正方法】変更
【補正の内容】
【実用新案登録請求の範囲】
【請求項１】
着用者の足裏形状に対応し且つ爪先部から土踏まずに達する長さのサポータ本体と、該サポータ本体の前方に縫着する足指用リングと、該サポータ本体の後方に縫着する踵掛けリングとを備え、該サポータ本体は比較的肉厚の繊維素材であって、その裏面に粘着性を備える樹脂滑り止め部を形成し、足指用リングを着用者の足指に嵌めてから踵掛けリングを着用者の踵部上部に掛止すると、着用者の足裏に取り付けできる足裏サポータ。
【請求項２】
足指用リングはゴム紐製の第１指用リングおよび第５指用リングを有し、第１指用リングを着用者の足親指に嵌めおよび第５指用リングを着用者の足小指に嵌めてからゴム紐製の踵掛けリングを着用者の踵部上部に掛止すると、着用者の足裏に安定取り付けできる請求項１記載の足裏サポータ。
【請求項３】
サポータ本体は、上方繊維層のベア天竺地と、厚さ２〜５ｍｍのポリウレタンシートのクッション材と、下方繊維層の編地との３層構造であり、その周囲を縁縫いによって縫い合わせることで足指用リングおよび踵掛けリングと一体化させる請求項１記載の足裏サポータ。
【請求項４】
サポータ本体における下方繊維層の表面上方には、粘着性を備える樹脂滑り止め部を所定の範囲に形成し、該樹脂滑り止め部はいずれもシリコーン樹脂からなる請求項３記載の足裏サポータ。